(57)【特許請求の範囲】
【請求項１】
通信サービスのために第１の無線ネットワーク制御装置から第２の無線ネットワーク制御装置へと在圏無線ネットワーク制御装置（ＳＲＮＣ）の役割を再割当処理する方法であって、前記通信サービスに使用される無線アクセス・ベアラ（ＲＡＢ）と該通信サービスに使用されるトランスポート・チャネルとをリンキングするための情報を前記第１の無線ネットワーク制御装置から前記第２の無線ネットワーク制御装置へとシグナリングすることにより前記再割当処理を実行することを特徴とする方法。
【請求項２】
前記通信サービスに使用される無線アクセス・ベアラ（ＲＡＢ）と該通信サービスに使用される無線ベアラ（ＲＢ）とをリンキングするための情報を前記第１の無線ネットワーク制御装置から前記第２の無線ネットワーク制御装置へとシグナリングするステップをさらに含むことを特徴とする請求項１に記載の方法。
【請求項３】
前記通信サービスに関与しているユーザ装置ユニット(ＵＥ)がセルを変更していないときに、前記通信サービスに使用される無線アクセス・ベアラ（ＲＡＢ）と該通信サービスに使用されるトランスポート・チャネルとをリンキングするための情報を前記第１の無線ネットワーク制御装置から前記第２の無線ネットワーク制御装置へとシグナリングすることを特徴とする請求項１に記載の方法。
【請求項４】
前記第１の無線ネットワーク制御装置から前記第２の無線ネットワーク制御装置へのシグナリングは、コア・ネットワーク１６を介して実行されることを特徴とする請求項１に記載の方法。
【請求項５】
前記通信サービスにより利用されているトランスポート・チャネルは、ＩｕｒインタフェースおよびＩｕｂインタフェース上に存在している専用トランスポート・チャネル（ＤＣＨ）であることを特徴とする請求項１に記載の方法。
【請求項６】
前記通信サービスに使用される無線アクセス・ベアラ（ＲＡＢ）と該通信サービスに使用される上り回線のトランスポート・チャネルおよび下り回線のトランスポート・チャネル（ＴｒＣＨ）とをリンキングするための情報を前記第１の無線ネットワーク制御装置から前記第２の無線ネットワーク制御装置へとさらにシグナリングすることを特徴とする請求項５に記載の方法。
【請求項７】
前記通信サービスにより利用されているトランスポート・チャネルは、無線インタフェースを介して利用されているトランスポート・チャネル（ＴｒＣＨ）であることを特徴とする請求項１に記載の方法。
【請求項８】
前記通信サービスに使用される無線アクセス・ベアラ（ＲＡＢ）と該通信サービスに使用される上り回線のトランスポート・チャネルおよび下り回線のトランスポート・チャネル（ＴｒＣＨ）の双方とをリンキングするための情報を前記第１の無線ネットワーク制御装置から前記第２の無線ネットワーク制御装置へとさらにシグナリングするステップを含むことを特徴とする請求項７に記載の方法。
【請求項９】
前記再割当処理を実行する前に、前記無線インタフェースを介して専用トランスポート・チャネル（ＤＣＨ）とトランスポート・チャネル（ＴｒＣＨ）とをリンキングするための情報を前記第１の無線ネットワーク制御装置から前記第２の無線ネットワーク制御装置へとシグナリングするステップをさらに含むことを特徴とする請求項７に記載の方法。
【請求項１０】
無線インタフェース上だけでなくＩｕｒインタフェース介して上り回線のトランスポート・チャネルの識別子および下り回線のトランスポート・チャネル（ＴｒＣＨ）の識別子によって、専用トランスポート・チャネル（ＤＣＨ）を識別するステップをさらに含むことを特徴とする請求項７に記載の方法。
【請求項１１】
Ｉｕｒインタフェースを介して前記第１の無線ネットワーク制御装置から前記第２の無線ネットワーク制御装置へと前記上り回線のトランスポート・チャネルの識別子および前記下り回線のトランスポート・チャネル（ＴｒＣＨ）の識別子とを通信転送することを特徴とする請求項１０に記載の方法。
【請求項１２】
ユーザ装置ユニット(ＵＥ)が関与する通信サービスについて在圏無線ネットワーク制御装置（ＳＲＮＣ）の再割当プロシージャを実行する無線アクセスネットワークであって、前記在圏無線ネットワーク制御装置（ＳＲＮＣ）の再割当プロシージャは、第１の無線ネットワーク制御装置（ＲＮＣ）［２６1］から第２の無線ネットワーク制御装置［２６2］へと前記在圏無線ネットワーク制御装置（ＳＲＮＣ）の役割を再割当処理すべく機能するものであり、該在圏無線ネットワーク制御装置（ＳＲＮＣ）の再割当プロシージャに従って、前記通信サービスに使用される無線アクセス・ベアラ（ＲＡＢ）と該通信サービスに使用されるトランスポート・チャネルとをリンキングするための情報を前記第１の無線ネットワーク制御装置から前記第２の無線ネットワーク制御装置へとシグナリングすることを特徴とする無線アクセスネットワーク。
【請求項１３】
前記通信サービスに使用される無線アクセス・ベアラ（ＲＡＢ）と該通信サービスに使用される無線ベアラ（ＲＢ）とをリンキングするための情報を前記第１の無線ネットワーク制御装置から前記第２の無線ネットワーク制御装置へとシグナリングすることを特徴とする請求項１２に記載の無線アクセスネットワーク。
【請求項１４】
前記通信サービスに関与しているユーザ装置ユニット(ＵＥ)がセルを変更していないときに、前記通信サービスに使用される無線アクセス・ベアラ（ＲＡＢ）と該通信サービスに使用されるトランスポート・チャネルとをリンキングするための情報を前記第１の無線ネットワーク制御装置から前記第２の無線ネットワーク制御装置へとシグナリングすることを特徴とする請求項１２に記載の無線アクセスネットワーク。
【請求項１５】
前記第１の無線ネットワーク制御装置から前記第２の無線ネットワーク制御装置へのシグナリングは、コア・ネットワーク１６を介して実行されることを特徴とする請求項１２に記載の無線アクセスネットワーク。
【請求項１６】
前記トランスポート・チャネルは、ＩｕｒインタフェースおよびＩｕｂインタフェース上に存在している専用トランスポート・チャネル（ＤＣＨ）であることを特徴とする請求項１２に記載の無線アクセスネットワーク。
【請求項１７】
前記通信サービスに使用される無線アクセス・ベアラ（ＲＡＢ）と該通信サービスに使用される上り回線のトランスポート・チャネルおよび下り回線のトランスポート・チャネル（ＴｒＣＨ）とをリンキングするための情報を、前記第１の無線ネットワーク制御装置から前記第２の無線ネットワーク制御装置へとさらにシグナリングすることを特徴とする請求項１２に記載の無線アクセスネットワーク。
【請求項１８】
前記通信サービスにより利用されているトランスポート・チャネルは、無線インタフェースを介して利用されているトランスポート・チャネル（ＴｒＣＨ）であることを特徴とする請求項１２に記載の無線アクセスネットワーク。
【請求項１９】
前記通信サービスに使用される無線アクセス・ベアラ（ＲＡＢ）と該通信サービスに使用される上り回線のトランスポート・チャネルおよび下り回線のトランスポート・チャネル（ＴｒＣＨ）とをリンキングするための情報を、前記第１の無線ネットワーク制御装置から前記第２の無線ネットワーク制御装置へとシグナリングすることを特徴とする請求項１８に記載の無線アクセスネットワーク。
【請求項２０】
前記再割当処理を実行する前に、前記無線インタフェースを介して専用トランスポート・チャネル（ＤＣＨ）とトランスポート・チャネル（ＴｒＣＨ）とをリンキングするための情報を前記第１の無線ネットワーク制御装置から前記第２の無線ネットワーク制御装置へとシグナリングすることを特徴とする請求項１８に記載の無線アクセスネットワーク。
【請求項２１】
無線インタフェース上だけでなくＩｕｒインタフェース介して上り回線のトランスポート・チャネルの識別子および下り回線のトランスポート・チャネル（ＴｒＣＨ）の識別子によって、専用トランスポート・チャネル（ＤＣＨ）を識別することを特徴とする請求項１８に記載の無線アクセスネットワーク。
【発明の詳細な説明】
【０００１】
１．発明の属する分野
本発明は電気通信に係り、とりわけ、無線アクセスネットワークにおける在圏無線ネットワーク制御装置の再割当（リロケーション）に関する。
【０００２】
２．関連技術及び他の検討
典型的なセルラー無線システムにおいては、ユーザ装置ユニット（ＵＥ）は、無線アクセスネットワーク（ＲＡＮ）を経由して一以上のコア・ネットワークと接続する。ユーザ装置ユニット（ＵＥ）は、移動電話（「セルラー」電話）、移動端末を伴うラップトップコンピュータのような移動局の形態をとり、それゆえ、例えば、無線アクセスネットワークと音声又はデータの少なくとも一方を通信可能な可搬型、ポケット収納型、ハンドヘルド型、コンピュータ内蔵型又は車載型の移動体デバイスとすることができる。
【０００３】
無線アクセスネットワーク（ＲＡＮ）は、複数のセル領域に分割された地理的領域をカバーし、各セル領域は、基地局によって通信サービスが提供される。セルは、地理的なエリアであって、基地局サイトに設置された無線基地局装置によって無線カバレッジが提供される。各セルは、固有の識別情報によって区別され、この識別情報はセル内で報知されている。基地局は、当該基地局のサービス範囲内において、エア・インタフェース（例：無線周波数）を介しユーザ装置ユニット（ＵＥ）と通信する。無線アクセスネットワークにおいて、複数の基地局は、通常、（例えば、地上回線又はマイクロウェーブ回線によって）無線ネットワーク制御装置に接続される。また、無線ネットワーク制御装置は、しばしば基地局制御装置とよばれ、配下に接続される複数の基地局の様々な動作を管理・調整する。典型的に、無線ネットワーク制御装置は一以上のコア・ネットワークに接続される。
【０００４】
無線アクセスネットワークの一例としてユニバーサル移動体通信（ＵＭＴＳ）の地球無線アクセスネットワークがある。ＵＴＲＡＮは第３世代のシステムであり、その一部はヨーロッパにて開発された移動通信のためのグローバルシステム（ＧＳＭ）として知られる無線アクセス技術を基礎として構築されている。ＵＴＲＡＮは、必須の広帯域符号分割多元接続（Ｗ−ＣＤＭＡ）システムである。
【０００５】
いわゆる当業者であれば理解できることであるが、Ｗ−ＣＤＭＡ技術においては、ユーザ装置ユニットと複数の基地局との間で共通の周波数帯域を利用して同時に通信することができる。高速な疑似雑音（ＰＮ）符号を使用して特徴付けられたスペクトル拡散ＣＤＭＡ波形を通して、共通周波数帯域を占有している信号は受信側の基地局において識別分離される。これらの高速なＰＮ符号は基地局とユーザ装置ユニット（ＵＥ）とから送信される信号を変調するために使用される。異なるＰＮ符号（または時間的なＰＮコードオフセット）プロシージャを送信機側の局が使用することで、信号は受信側の基地局において分離して復調することができる。高速なＰＮ符号を使用することで、送信信号の支配的な伝搬経路の複数を合成して単一の送信側基地局から受信した信号を効果的に生成できる。従って、ＣＤＭＡでは、あるセルから他のセルへとコネクションをハンドオフするときに、ユーザ装置ユニットが基本的に周波数を変更する必要がない。その結果、ハンドオフ元のセルがコネクションのサービスを継続するのと同時に、ハンドオフ先のセルもユーザ装置ユニット（ＵＥ）へのコネクションをサポートすることができる。ユーザ装置ユニット（ＵＥ）は、ハンドオフ中に常に少なくとも１つのセルを通して通信を継続しており、呼を中断させることはない。ゆえに、「ソフトハンドオーバ」との用語が用いられる。ハードハンドオーバとは対照的に、ソフトハンドオーバは「切断前接続」型の交換処理である。
【０００６】
ユニバーサル移動体通信（ＵＭＴＳ）地球無線アクセスネットワーク（ＵＴＲＡＮ）は、回線交換型のコネクションとパケット交換型のコネクションの双方を収容する。この点について、ＵＴＲＡＮにおいては、回線交換型のコネクションは、移動交換局（ＭＳＣ）と通信する無線ネットワーク制御装置（ＲＮＣ）と関与している。無線ネットワーク制御装置（ＲＮＣ）は、さらに、（例えば）公衆交換電話ネットワーク（ＰＳＴＮ）及び／又は統合サービスデジタルネットワーク（ＩＳＤＮ）などのコネクション・オリエンテッド型の外部コア・ネットワークと接続している。一方で、ＵＴＲＡＮにおいて、パケット交換型のコネクションは、在圏ＧＰＲＳサポート局（ＳＧＳＮ）と通信する無線ネットワーク制御装置（ＲＮＣ）に関与している。無線ネットワーク制御装置（ＲＮＣ）は、さらに、バックボーン・ネットワーク及びゲートウェイＧＰＲＳサポート局（ＧＧＳＮ）とを経由して、パケット交換ネットワーク（例：インターネット、Ｘ．２５外部ネットワーク）へと接続されている。
【０００７】
ＵＴＲＡＮにおいては多数の関与インタフェースが存在する。無線ネットワーク制御装置（ＲＮＣ）とコア・ネットワーク間のインタフェースは、「Ｉｕ」インタフェースと呼ばれている。無線ネットワーク制御装置（ＲＮＣ）とその基地局間のインタフェースは、「Ｉｕｂ」インタフェースと呼ばれている。ユーザ装置ユニット（ＵＥ）と基地局間のインタフェースは「エア・インタフェース」もしくは「無線インタフェース」として知られている。いくつかの例をあげると、在圏ＲＮＣもしくはソースＲＮＣ（ＳＲＮＣ及び目標ＲＮＣ若しくはドリフトＲＮＣ（ＤＲＮＣ）との双方にコネクションは関与し、その際に、ＳＲＮＣはコネクションを制御することになるが、コネクションに由来する一以上のダイバーシチ・レッグはＤＲＮＣによって処理される（この点についは、米国特許出願第０９／０３５，８２１、出願日１９９８年３月６日、名称「電気通信の内部交換における測定の転送」、および、米国特許出願第０９／０３５，７８８、出願日１９９８年３月６日、名称「電気通信の内部交換における輻輳制御」を参照して頂きたい。なお、これらの文献は参照としてここに取り込む）。ＳＲＮＣとＤＲＮＣ間のインタフェースは「Ｉｕｒ」との用語が用いられる。
【０００８】
ユニバーサル移動体通信システム（ＵＭＴＳ）では、非アクセス・ストレイタム（ＮＡＳ）サービス識別子（ＮＡＳサービスＩＤ）により、ＵＭＴＳアーキテクチャーの非アクセス・ストレイタム・レベル上でサービスが識別される。ＵＭＴＳアーキテクチャーの非アクセス・ストレイタム・レベルに関して言えば、各サービスは、無線アクセス・ベアラ（ＲＡＢ）識別子（ＲＡＢ  ＩＤ）を用いてＩｕインタフェース上で識別され、一以上の無線ベアラ（ＲＢ）識別子（ＲＢ  ＩＤ）を用いて無線インタフェース（例：エア・インタフェース）上で識別される。ゆえに、各ＮＡＳサービスは一の無線アクセス・ベアラ（ＲＡＢ）にリンクされ、各無線アクセス・ベアラ（ＲＡＢ）は一以上の無線ベアラ（ＲＢ）にリンクされる。一以上の無線ベアラ（ＲＢ）は、例えばＩｕｒ、Ｉｕ及び無線インタフェース上の専用トランスポート・チャネル（ＤＣＨ）など、１つのトランスポート・チャネルにリンクされる。よって、各ＤＣＨは一以上の無線ベアラ（ＲＢ）にリンクされる。この様にして、各無線アクセス・ベアラ（ＲＡＢ）は一以上のＤＣＨにリンクされている。
【０００９】
専用トランスポート・チャネル（ＤＣＨ）は、Ｉｕｒ及びＩｕｂインタフェース上でＤＣＨ  ＩＤを用いて識別される。Ｉｕｒ及びＩｕｂインタフェース上で使用されるＤＣＨ  ＩＤは無線インタフェース上では使用されない。その代わり、トランスポート・チャネル（ＴｒＣＨ）識別子が無線インタフェースを介して使用され、これにより無線インタフェース上でトランスポート・チャネルが識別される。在圏ＲＮＣ（ＳＲＮＣ）とＵＥは、（ＲＢ  ＩＤを把握するのと同様の方法を用いて）このトランスポート・チャネル（ＴｒＣＨ）識別子を取得するが、ＤＲＮＣ又は基地局は、このトランスポート・チャネル（ＴｒＣＨ）識別子を取得しない。
【００１０】
第３世代パートナーシップ・プロジェクト（３ＧＰＰ）として知られているプロジェクトでは、ＵＴＲＡＮとＧＳＭベースの無線アクセスネットワーク技術とをさらに進化させるべく作業に着手している。３ＧＰＰは在圏ＲＮＣ（ＳＲＮＣ）の役割が第１のＲＮＣから、以前にドリフトＲＮＣ（ＤＲＮＣ）としてサービスを提供していた他のＲＮＣへとリロケート（再割当）する状態を予想している。このような再割当に関して、３ＧＰＰは、第１のＲＮＣ（例：旧ＲＮＣ）から第２のＲＮＣ（例：新ＲＮＣ）へと所定のリンキング情報をシグナリング（信号伝達）することを提案しており、とりわけ、無線アクセス・ベアラ（ＲＡＢ）ＩＤ及び無線ベアラ（ＲＢ）ＩＤをリンクするための情報をシグナリングすることを提案している。しかしながら、３ＧＰＰの提案によれば、新ＳＲＮＣは、依然として、どのトランスポート・チャネルがどの無線ベアラに対応しているかを推定しなければならない。
【００１１】
それゆえ必要とされていること、および、本発明の目的は、新ＳＲＮＣがトランスポート・チャネルと無線ベアラとをリンクできるようにするための技術を提供することである。
【００１２】
発明の簡潔な概要
無線アクセスネットワークにおいて、ＳＲＮＣ再割当プロシージャ（再割当手続）が実行され、これにより第１の無線ネットワーク制御装置から第２の無線ネットワーク制御装置へと、ユーザ装置ユニット（ＵＥ）と関与している通信サービスのための在圏無線ネットワーク制御装置（ＳＲＮＣ）の役割を再配置する。ＳＲＮＣ再割当手続の様々なモード（方式）によれば、第１の無線ネットワーク制御装置は、第２の無線ネットワーク制御装置に対して、サービス用の無線アクセス・ベアラ（ＲＡＢ）とサービス用のトランスポート・チャネルとをリンク（対応付け）すべく利用される情報をシグナリング（信号伝達）する。
【００１３】
本発明の第１の方式によれば、シグナリングにより、サービスに利用される専用トランスポート・チャネル（ＤＣＨ）を無線アクセス・ベアラ（ＲＡＢ）とリンクさせる。本発明の第２〜第４の方式によれば、ＳＲＮＣ再割当手続中に、アップリンク（上り回線）とダウンリンク（下り回線）のトランスポート・チャネル（ＴｒＣＨ）ＩＤを無線アクセス・ベアラ（ＲＡＢ）識別子へとシグナリングによりリンクさせる。本発明の第３の方式によれば、上り回線及び下り回線のトランスポート・チャネル（ＴｒＣＨ）ＩＤと無線アクセス・ベアラ（ＲＡＢ）識別子とのリンク処理は、Ｉｕインターフェイス上で実行され、一方で、ＴｒＣＨ ＩＤとＤＣＨ ＩＤとのリンキング（対応付け）は、Ｉｕｒインタフェース上で実行される。本発明の第４の方式によれば、上り回線及び下り回線のトランスポート・チャネル（ＴｒＣＨ）ＩＤと無線アクセス・ベアラ（ＲＡＢ）識別子とのリンキングは、Ｉｕインターフェイス上で実行されるため、Ｉｕｒ及びＴｕｂインタフェース上でのＤＣＨ ＩＤ が置換され、すでに上り回線と下り回線のトランスポート・チャネル（ＴｒＣＨ）ＩＤを把握している目標ＳＲＮＣの観点からは、ＤＣＨ  ＩＤを送信する必要がない。
【００１４】
限定するものではなく好ましいものとして、ＳＲＮＣ再割当手続によれば、サービスに関係しているユーザ装置ユニット（ＵＥ）がコア・ネットワークを経由してシグナリングをルーティングしてセルを変更していないときに、サービスを提供するための無線アクセス・ベアラ（ＲＡＢ）とトランスポート・チャネルとをリンクさせるための情報のシグナリングが実行される。
【００１５】
有効なのは、本発明のＳＲＮＣ再割当手続により、全く新しいトランスポート・チャネルを割り当るのではなく、再割当後も以前と同じトランスポート・チャネルを目標ＳＲＮＣノードが利用できることである。
【００１６】
図面の詳細な説明
以下の説明において、限定のためではなく説明の目的のために、特定のアーキテクチャー、インタフェース、技術およびその他などが示されるが、これは本発明の完全なる理解を提供することを意図したにすぎない。しかしながら、当業者であれば明らかであろうが、本発明はこれらの特定な詳細技術から離れた他の実施形態においても実現可能である。他の例として、周知のデバイス、回路、および方法についての詳細な説明を省略し、これにより、不必要な説明によって本発明の説明が不明瞭とならないように心がけている。
【００１７】
本発明は、図１に示されるユニバーサル移動通信（ＵＭＴＳ）１０を例として説明するが、本発明がこれらによっては限定されるわけではない。代表的なコネクション・オリエンテッド型の外部コア・ネットワークは雲１２として示されており、これは例えば公衆回線電話交換ネットワーク（ＰＳＴＮ）及び／または統合サービスデジタルネットワーク（ＩＳＤＮ）であってもよい。代表的なコネクションレス型の外部コア・ネットワークは雲１４として示されており、これは例えばインターネットであってもよい。どちらのコア・ネットワークも、対応するサービスノード１６に接続されている。ＰＳＴＮ／ＩＳＤＮ のコネクション・オリエンテッド型のネットワーク１２は、回線交換サービスを提供する移動交換センター（ＭＳＣ）ノード１８として示されたコネクション・オリエンテッド型のサービスノードに接続される。インターネット コネクションレス型のネットワーク１４は、パケット交換型のサービスを提供すべく構成された一般パケット無線サービス（ＧＰＲＳ）ノードに接続される。このノードはしばしば、在圏ＧＰＲＳ サービスノード（ＳＧＳＮ）と呼ばれる。
【００１８】
コア・ネットワークサービスノード１８及び２０の各々は、Ｉｕインターフェイスと呼ばれる無線アクセスネットワーク（ＲＡＮ）インタフェースを介して、ＵＭＴＳ地球無線アクセスネットワーク（ＵＴＲＡＮ）２４と接続する。ＵＴＲＡＮ２４には、一以上の無線ネットワーク制御装置（ＲＮＣ）２６が含まれている。簡潔にすべく、図１の ＵＴＲＡＮ２４には、とりわけＲＮＣ２６1とＲＮＣ２６2といった２つのＲＮＣノードしか示されていない。各ＲＮＣ２６ は、複数の基地局（ＢＳ）２８に接続されている。例示のためと簡潔さのために、それぞれＲＮＣ２６に接続された２つの基地局ノードが示されている。この点に関し、ＲＮＣ２６1は、基地局２８1-1と基地局２８1-2にサービスを提供しており、ＲＮＣ２６2は、基地局２８2-1と基地局２８2-2にサービスを提供している。なお、これらとは異なる数の基地局に対してＲＮＣがサービスを提供してもよい。ＲＮＣがこれらと同一の数の基地局に対してサービスを提供しなくてもよいことは理解できよう。しかも、図１は、ＲＮＣがＩｕｒインタフェースを介して、ＵＴＲＡＮ２４における一以上の他のＲＮＣに接続できることも示している。
【００１９】
図１に示されたユーザ装置ユニット３０（ＵＥ）のようなユーザ装置ユニット（ＵＥ）は、無線インタフェース又はエア・インタフェース３２を介して１以上の基地局（ＢＳ）２８ と通信する。無線又はエア・インタフェース３２のそれぞれであるＩｕインタフェース、Ｉｕｂインタフェース、及びＩｕｒインタフェースは、点線により図１に示されている。
【００２０】
無線アクセスは、 個々の無線チャンネルに拡散符号が使用される広帯域符号分割多元接続（ＷＣＤＭＡ）をベースとすることが望ましい。もちろん、他のアクセス方式が採用されてもよい。ＷＣＤＭＡによって、マルチメディアサービスおよび高い伝送レートの需要ための広帯域だけでなく、高品質を確実にするためのダイバーシチハンドオフおよびＲＡＫＥ受信機のような強固な機能をも提供する。各ユーザ移動局又はユーザ装置ユニット（ＵＥ）３０には、自己のスクランブル符号が割り当てられる。これは、同一のエリアに存在する他の送信情報や雑音の中から区別して、基地局２８が特定のユーザ装置ユニットからの送信情報を識別するためであり、また、基地局から当該ユーザ装置ユニット（ＵＥ）に宛てられた送信情報をユーザ装置ユニット（ＵＥ）３０が識別できるようにするためである。
【００２１】
異なる種別の制御チャネルが、ある基地局２８とユーザ装置ユニット（ＵＥ）３０との間に存在していてもよい。例えば、フォワード又は下り回線方向において、一般報知チャネル（ＢＣＨ）、ページングチャネル（ＰＣＨ）、共通パイロットチャネル（ＣＰＩＣＨ）およびフォワードアクセスチャネル（ＦＡＣＨ）など、様々な種類の制御情報をユーザ装置ユニット（ＵＥ）に提供するための様々なタイプの報知チャネルが含まれていてもよい。リバース方向又は上り回線方向において、位置登録、発呼、呼出応答および他の種類のアクセス処理を実行するためにアクセスが必要とされるときには、ユーザ装置ユニット（ＵＥ）によってランダムアクセスチャネル（ＲＡＣＨ）が利用される。ランダムアクセスチャンネル（ＲＡＣＨ）は、ある種のユーザーデータ、例えば、ウェブブラウザ・アプリケーションのためのベストエフォートのパケットデータなどを搬送すためにも使用される。トラフィック・チャンネル（ＴＣＨ）は、ユーザ装置ユニット（ＵＥ）との実質的なコール・コミュニケーションを搬送するために割り当てることもできる。
【００２２】
本発明は、特に、在圏無線ネットワーク制御装置（ＳＲＮＣ）の役割がある無線ネットワーク制御装置から他の無線ネットワーク制御装置に移転されるようなセルラー無線通信ネットワークのシチュエーションと関係している。「役割（role）」との用語について、当業者であれば、ＲＡＮ ＵＥコネクションに関しては、在圏ＲＮＣ（ＳＲＮＣ）の役割又はドリフトＲＮＣ（ＤＲＮＣ）の役割のいずれであってもＲＮＣが担当できることを理解できりよう。仮に、ＲＮＣが在圏ＲＮＣ（ＳＲＮＣ）であれば、ＲＮＣはユーザ装置ユニット（ＵＥ）とのコネクショの処理を担当しており、例えば、無線アクセスネットワーク（ＲＡＮ）内においてコネクションを完全に制御している。在圏ＲＮＣ（ＳＲＮＣ）はコア・ネットワークに接続される。他方、仮にＲＮＣがドリフトＲＮＣ（ＤＲＮＣ）であれば、ユーザ装置ユニット（ＵＥ）との接続のために必要とされる無線リソースを（ドリフトＲＮＣ（ＤＲＮＣ）によって制御されているセル内において）供給することによって、在圏ＲＮＣをサポートする。
【００２３】
無線アクセスネットワーク（ＲＡＮ）とユーザ装置ユニット（ＵＥ）との間でコネクションを確立する際には、無線アクセスネットワーク（ＲＡＮ）は、どのＲＮＣが在圏ＲＮＣ（ＳＲＮＣ）になるべきかを判定し、必要であれば、どのＲＮＣがドリフトＲＮＣ（ＤＲＮＣ）になるべきかを決定する。通常、コネクションが初めて確立されるときにはユーザ装置ユニット（ＵＥ）が位置しているセルをコントロールするＲＮＣが、原始的に、在圏ＲＮＣ（ＳＲＮＣ）として選択される。ユーザ装置ユニット（ＵＥ）が移動するに従って、他のＲＮＣによって制御されているセルなど、新しいセルを介して無線通信ブランチ又は無線通信レッグを確立することにより、コネクションが維持される。
【００２４】
前述の説明を図示する。本発明の説明への前置きとして図１Ａに示されたシチュエーションを参照する。図１Ａは、ユーザ装置ユニット３０（ＵＥ）が関与するコネクションの初期セットアップ（設定）において、ユーザ装置ユニット３０（ＵＥ）のためのＲＮＣの役割を割り当てる方法の一例を示したものである。図１Ａにおいて、無線ネットワーク制御装置（ＲＮＣ）２６1は、ユーザ装置ユニット（ＵＥ）３０とのコネクションのための在圏ＲＮＣ（ＳＲＮＣ）として動作するが、これは、ユーザ装置ユニット（ＵＥ）３０が基地局（ＢＳ）２８1-1によってコントロールされているセルの中に位置しているからである。図１Ａにおいて、ユーザ装置ユニット（ＵＥ）３０とのコネクションは点線３６1Aによって示されている（この点線は、コア・ネットワーク１６から延びており、無線ネットワーク制御装置（ＲＮＣ）２６1と基地局（ＢＳ）２８1-1を経由してユーザ装置ユニット（ＵＥ）３０に接続されている。
【００２５】
図１Ａにおいて、ユーザ装置ユニット（ＵＥ）３０が矢印３４で示された右方向に移動するものと想定すると、最終的には、基地局（ＢＳ）２８1-1によりコントロールされているセルから離脱し、それぞれ基地局２８1-2，２８2-1，２８2-2によってコントロールされているセルを経由して連続的に移動する。ユーザ装置ユニット（ＵＥ）３０が新しいセルに入る際に、ハンドオーバ処理が実行される。図１Ｂには、ユーザ装置ユニット（ＵＥ）３０が基地局２８2-2によりコントロールされているセルに到着したときの様子が示されている。図１Ｂに示されているようなときにも、無線ネットワーク制御装置（ＲＮＣ）２６1は、引き続き在圏ＲＮＣ（ＳＲＮＣ）としてユーザ装置ユニット（ＵＥ）３０とのコネクションのために動作しており、その一方で、無線ネットワーク制御装置（ＲＮＣ）２６2はドリフトＲＮＣ（ＤＲＮＣ）として動作する。換言すれば、無線ネットワーク制御装置（ＲＮＣ）２６1が引き続きユーザ装置ユニット（ＵＥ）３０とのコネクションの制御権を保有しており、その一方で、無線ネットワーク制御装置（ＲＮＣ）２６2は、ユーザ装置ユニット（ＵＥ）３０が現在位置しているセルに関するコネクションのためのリソースを供給しているのである。図１Ｂにおいて、ユーザ装置ユニット（ＵＥ）３０とのコネクションは破線３６1Bによって示されている。
【００２６】
あるシチュエーションにおいては、一のＲＮＣから他のＲＮＣへと特定のＵＥについてのコネクションのコントロールを受け渡すことが有効である。コントロールの受け渡しを成し遂げるための再割当機能又は再割当プロシージャが本願で提供される。これは、（例えば、ＵＭＴＳ内のＳＮＲＣの再割当など）ＵＭＴＳ内における再割当をカバーする一般的な機能又はプロシージャであってもよいし、（例えばＵＭＴＳなどからＧＳＭなど）他のシステムへの再割当であってもよい。本発明は元来（例えばＵＭＴＳのような）システム内の再割当に関係するものである。本発明は、関与する複数のＲＮＣ間でＲＮＣからＲＮＣへの通信（例えば、Ｉｕｒインタフェースなど）がサポートされていないようなシステム内で再割当処理を実行をする際に、とりわけ効果的である。しかしながら、本発明は他の状況であっても同様に適用可能である。（例えば）（１）Ｉｕｒインタフェースが存在するものの、専用チャネル（ＤＣＨ）上での通信のための関係Ｉｕｒインタフェースへのサポート処理がないとき、あるいは、（２）Ｉｕｒインタフェースは存在するが、ネットワークの伝送効率を最適化するために当該インタフェースは使用されるのであって、再割当目的（再割当のあとにより改善されたシチュエーションを得ること）のためにはＩｕｒインタフェースが使用されないときにも本発明は適用可能である。このように、本発明の１つの方式によれば、Ｉｕインタフェースを使用して、再割当機能又は再割当プロシージャが実行される。
【００２７】
概して、２つのタイプの再割当手法がある。第１のタイプの再割当手法は、一般に図２Ａと図２Ｂによって示されとおり、これらユーザ装置ユニット（ＵＥ）が関与する方式の再割当手法である。第２のタイプの再割当手法は、（一般に図３Ａと図３Ｂに示されており、これらはユーザ装置ユニット（ＵＥ）が関与しないタイプの再割当方式である。以降の説明では、本発明はとりわけユーザ装置ユニット（ＵＥ）が関与しない再割当手法に適用されるが、本発明は一般的に両方のシナリオにおいて有効である。
【００２８】
図２Ａと図２Ｂに例示されるユーザ装置ユニット（ＵＥ）が関与する方式の再割当手法についての一般的ケースにおいて、無線インタフェース通信が一のセルから他方のセルへとハンドオーバされるのと同時に、一方のＲＮＣから他方のＲＮＣへと在圏ＲＮＣ（ＳＲＮＣ）の役割が転送される。再割当後が完了した後に、唯一生き残っているノードはコア・ネットワーク・ノードとユーザ装置ユニット（ＵＥ）である。在圏ＲＮＣ（ＳＲＮＣ）は他のＲＮＣと交替し、基地局も、交替後のＲＮＣによってサービスを提供されている他の基地局と交替する。以前に関与していたＤＲＮＣももはや関与しなくなる。
【００２９】
図２Ａは、ユーザ装置ユニット（ＵＥ）３０が基地局（ＢＳ）２８1-2によって制御されているセル内にユーザ装置ユニット（ＵＥ）３０が存在し、ユーザ装置ユニット（ＵＥ）が関与する再割当手法が実行される前の、ユーザ装置ユニット（ＵＥ）３０とのコネクション３６2Aを示している。在圏ＲＮＣ（ＳＲＮＣ）は、無線ネットワーク制御装置（ＲＮＣ）２６1 である。図２Ａに示されているときにドリフトＲＮＣ（ＤＲＮＣ）は関与していない。ユーザ装置ユニット（ＵＥ）関与タイプの再割当処理が実行される前に、ドリフトＲＮＣ（ＤＲＮＣ）が関与していてもよい（しかしながら簡潔さのために図２Ａには示されていない。）。通常、ユーザ装置ユニット（ＵＥ）関与タイプの再割当処理が実行された後は、ドリフトＲＮＣ（ＤＲＮＣ）は関与しないが、もちろん関与してもよい（図２Ａには簡潔さのために示されていない。）。
【００３０】
簡潔さのために図２Ａ（および他の図面）では、ユーザ装置ユニット（ＵＥ）３０と通信している基地局は１台だけとしている。もちろん当業者であれば、これは一般的なケースではなく、例えばダイバーシチの目的のために、二以上の基地局が ユーザ装置ユニット（ＵＥ）３０と無線通信を実行していてもよいことは理解できよう。しかしながら、一つ又はそれ以上の基地局がユーザ装置ユニット３０（ＵＥ）と通信していることとは無関係に、本発明の再割当方法は適用可能である。それゆえ、簡潔さのために１台の基地局だけが示されている。
【００３１】
ユーザ装置ユニット（ＵＥ）３０が、基地局（ＢＳ）２８1-2によって制御されているセルから基地局（ＢＳ）２８2-1によって制御されているセルへと矢印３４の方向に（図２Ｂに示された手法に従って）移動するものと仮定する。また、上述のように移動するときは、ＳＮＲＣの役割が、無線ネットワーク制御装置（ＲＮＣ）２６1から無線ネットワーク制御装置（ＲＮＣ）２６2へと転送され、これと並行して、基地局（ＢＳ）２８1-2によって制御されているセルから基地局（ＢＳ）２８2-1によって制御されているセルへと無線インタフェースの通信がハンドオーバされる。すなわち、ユーザ装置ユニット（ＵＥ）が関与するＳＲＮＣ再割当は、ユーザ装置ユニット３０（ＵＥ）がセル間を移行する結果として実行される。それゆえ、図２Ｂは、ユーザ装置ユニット（ＵＥ）が 関与する再割当手法が実行されたあとの、ユーザ装置ユニット（ＵＥ）３０とのコネクション３６2Bを示している。
【００３２】
図３Ａと図３Ｂとに示されている、ユーザ装置ユニット（ＵＥ）が関与しない再割当手法についての一般的なケースにおいては、在圏ＲＮＣ（ＳＲＮＣ）の役割が一方のＲＮＣから他方のＲＮＣへと転送され、その際には、無線インタフェースで通信するためのセルをユーザ装置ユニット（ＵＥ）は変更する必要がない。再割当後に生き残るノードはコア・ネットワーク・ノード、在圏ＲＮＣ（ＳＲＮＣ）の役割を譲り受けるＲＮＣ、ユーザ装置ユニット（ＵＥ）と無線通信する基地局、及びユーザ装置ユニット（ＵＥ）である。図３Ａは、ユーザ装置ユニット（ＵＥ）が関与しない再割当の実行前におけるＲＮＣ役割の割り当てと、無線ネットワーク制御装置（ＲＮＣ）２６1が在圏ＲＮＣ（ＳＲＮＣ）を務めコネクション３６3Aを制御していることを示している。図３Ａにおいて、無線ネットワーク制御装置（ＲＮＣ）２６2はドリフトＲＮＣ（ＤＲＮＣ）としてサービスを提供する。一方、図３Ｂにおいて、ユーザ装置ユニット（ＵＥ）が関与しない再割当を実行した後におけるＲＮＣ役割の割り当てを示しており、無線ネットワーク制御装置（ＲＮＣ）２６2が、コネクション３６3Bを処理する在圏ＲＮＣ（ＳＲＮＣ）として動作する。
【００３３】
次に、図３Ａと図３Ｂに示されている例示的なシチュエーション（状況）において、ユーザ装置ユニット（ＵＥ）が関与しない再割当手法を、本発明がどのようにして実行するかに焦点を当てる。しかしその前に、再割当を必要するであろう通信サービスの確立について、処理の詳細を説明する。この説明は図４Ａの説明との関係で提供される。
【００３４】
図４Ａは、破線３８によって縁取られたユニバーサル移動体通信（ＵＭＴＳ）１０のアーキテクチャーについてのアクセス・ストレイタムを示している。ＵＭＴＳアーキテクチャーの無アクセス・ストレイタム・レベルが破線３８によって縁取られたボックスの上に存在している。ユニバーサル移動体電気通信（ＵＭＴＳ）１０において通信サービスが利用されているときは、ＵＭＴＳアーキテクチャーの無アクセス・ストレイタム・レベルにおいて、ＮＡＳサービス識別子（ＮＡＳ サービス ＩＤ）４０によってサービスが識別される。例えば、サービスは、回線交換（ＣＳ）型のサービス（例：音声呼）であってもよいし、パケット交換（ＰＳ）型のサービスであってもよい。ＮＡＳサービスＩＤは、回線交換（ＣＳ）型のサービスのためのストリームＩＤであってもよいし、あるいはパケット交換（ＰＳ）型のサービスのためのＮＳＡＰＩであってもよい。どのようなタイプのサービスが利用されているかは、本発明にとって必須の関係があるわけではないため、ここでは、ユーザ装置ユニット（ＵＥ）３０が関与しているコネクションのサービスは、単に「サービス」と呼ぶことにする。
【００３５】
ＵＭＴＳアーキテクチャーのアクセス・ストレイタム・レベルによれば、サービスは無線アクセス・ベアラ（ＲＡＢ）識別子（ＲＡＢ ＩＤ）４２によってＩｕインタフェース及び無線インタフェースラジオ上で識別される。また、無線インタフェース（例：エア・インタフェース）上で、無線ベアラ（ＲＢ）を識別すための一以上の無線ベアラ（ＲＢ）識別子（ＲＢ ＩＤ）４４が添付される。ＵＭＴＳの確立処理の際に、コア・ネットワークにおいて、ＲＡＢ ＩＤにはＮＡＳサービスＩＤの値が割り当てられる。これにより、ＲＡＢ ＩＤとＮＡＳ ＩＤとの間のリンキング（図４Ａの線５０によって示された対応付け）が生成される。Ｉｕインターフェイス・プロトコルを使用して、ＲＡＢ ＩＤは（図４Ａの線５によって示される）Ｉｕインターフェイスを介して在圏ＲＮＣ（ＳＲＮＣ）に受け渡される。ＳＲＮＣは、どのように無線アクセス・ベアラ（ＲＡＢ）を無線ベアラ（ＲＢ）上にマッピングするかを決定する。無線ベアラ（ＲＢ）上への無線アクセス・ベアラ（ＲＡＢ）のマッピングは、図４Ａの線５４によって示されている。サービスに係わっているＵＥとの無線ベアラ（ＲＢ）をＳＲＮＣが確立すると、ＳＲＮＣは、無線ベアラ（ＲＢ）を識別するための無線ベアラ（ＲＢ）識別子（ＲＢ ＩＤ）を（図４Ａの線５６によって示された）ユーザ装置ユニット（ＵＥ）に対して受け渡す。ユーザ装置ユニット（ＵＥ）において、ＮＡＳサービスと無線ベアラ間のリンキングを形成するためには、ＳＲＮＣは、ＲＡＢ ＩＤと一緒に、対応する無線ベアラ（ＲＢ）識別情報（ＲＢ ＩＤ）をユーザ装置ユニット（ＵＥ）へと供給する（図４Ａの線５８によって反映される）。
【００３６】
サービスのための専用トランスポート・チャネル（ＤＣＨ）は、Ｉｕｒインタフェース及びＩｕｂインタフェース上のＤＣＨ ＩＤによって識別される。無線ベアラが配置されるときに、このような識別処理が在圏ＲＮＣ（ＳＲＮＣ）によって実行される。在圏ＲＮＣ（ＳＲＮＣ）において、一以上の無線ベアラ（ＲＢ）４４は、１つのトランスポート・チャネルとリンクされ、例えば、１つの専用トランスポート・チャネル（ＤＣＨ）４６ にＩｕｒ、Ｉｕｂ及び無線インタフェース上でリンクされる。この様なリンキングは、図４Ａの線５９によって示されている。各々の ＤＣＨ は、１以上の物理チャンネルによって搬送される。
【００３７】
しかし、Ｉｕｒ及びＩｕｂインタフェース上で使用されたＤＣＨ ＩＤは無線インタフェース上では使用されない。代わりに、トランスポート・チャネル（ＴｒＣＨ）識別子が無線インタフェース上で無線インタフェース上のトランスポート・チャネルを識別するために使用される。 在圏ＲＮＣ（ＳＲＮＣ）とＵＥは（それらがＲＢ ＩＤを取得し把握するのと同じ方法で）このトランスポート・チャネル（ＴｒＣＨ）識別子を入手するが、ＤＲＮＣ又は基地局は、トランスポート・チャネル（ＴｒＣＨ）識別子を把握していない。
【００３８】
従って、図４Ａに示されているように、各々のＮＡＳサービス４０は１つの無線アクセス・ベアラ（ＲＡＢ）４２とリンクされ、各々の無線アクセス・ベアラ（ＲＡＢ）４２は、一以上の無線ベアラ（ＲＢ）４４とリンクされる。一以上の無線ベアラ（ＲＢ）４４は、１つのトランスポート・チャネル、例えば、 専用トランスポート・チャネル（ＤＣＨ）４６にリンクされる。必然的に、図４Ａで示されるように、各々の無線アクセス・ベアラ（ＲＡＢ）４２は、一以上のＤＣＨ４６とリンクされる。
【００３９】
特定のサービスについて、第１のＲＮＣから第２のＲＮＣへと在圏ＲＮＣ（ＳＲＮＣ）を再割当するための再割当処理において、第３世代共同プロジェクト（３ＧＰＰ）は、第１のＲＮＣ（例えば古いＳＲＮＣ）から第２のＲＮＣ（例えば、新しいＳＲＮＣ）へと、ある種のリンキング情報をシグナリングすることを提案しており、これはとりわけ、どの無線アクセス・ベアラ（ＲＡＢ）ＩＤとどの無線ベアラ（ＲＢ）ＩＤとがリンクされているかを示す情報である。しかしながら、この３ＧＰＰの提案によれば、新しいＳＲＮＣは、未だに、対応する無線ベアラにどの専用トランスポート・チャネル（ＤＣＨ）が利用されているかを推測しなければならないものである。
【００４０】
３ＧＰＰの提案とは対照的に、図５Ａと図５Ｂで示された本発明の第１の方式において、第１のＲＮＣから第２のＲＮＣへの再割当処理がサービスのために実行されるとき、サービスのために利用されている専用トランスポート・チャネル（ＤＣＨ）とサービスのための無線アクセス・ベアラ（ＲＡＢ）とをリンキングさせるための制御情報を、同様に、第１の無線ネットワーク制御装置が第２の無線ネットワーク制御装置へとシグナリングする。
【００４１】
図５Ａと図５Ｂは、本発明の第１の方式を実現すべく構成された無線アクセスネットワークを有するＵＴＲＡＮ１０を示している。本発明係る無線ネットワーク制御装置（ＲＮＣ）２６1は、サービスのために利用されている専用トランスポート・チャネル（ＤＣＨ）とサービスのための無線アクセス・ベアラ（ＲＡＢ）とを関係付けるデータベース１００として例示された記憶装置又はこれと同機能の装置を備える。便宜上、データベース１００に記憶されているデータについての具体的な使用方法を強調するために、このデータベースは「ＲＮＣ再割当のためのリンキング・データベース」と名づけ、（略して）「リンキング・データベース」１００と呼ぶことにする。リンキング・データベース１００には、ユーザ装置ユニット（ＵＥ）への特定のサービス・コネクションに関する多数のフィールドや情報要素が含まれているが、図５に示された情報の全てが必須というわけではない。図５では、確かに、本発明に関連するリンキング・データベース１００のいくつかのフィールドが示されているが、現在無線ネットワーク制御装置（ＲＮＣ）２６1によってサービスを提供されている全てのユーザ装置ユニット（ＵＥ）に関するサービス・コネクションに対しても、リンキング・データベース１００の各フィールドが提供されているものと理解されなければならない。
【００４２】
リンキング・データベース１００のフィールドは、無線アクセス・ベアラ（ＲＡＢ）ＩＤフィールド１０２と、無線ベアラ（ＲＢ）フィールド１０３と、ＤＣＨ ＩＤフィールドとを備えている。サービスはＲＡＢ ＩＤフィールド１０２によって表され、上述のＮＡＳサービス ＩＤのようにコネクションごとの固有値を含んでいる。無線アクセス・ベアラ（ＲＡＢ）ＩＤフィールド１０２は、コネクションのための無線アクセス・ベアラ（ＲＡＢ）識別子（ＲＡＢ ＩＤ）を含んでいる。無線ベアラ（ＲＢ）フィールド１０３は、コネクションのための無線ベアラ（ＲＢ）識別子ＩＤ（ＲＢ ＩＤ）４４を含んでいる。ＤＣＨ ＩＤフィールド１０４は、コネクションによって利用されている専用トランスポート・チャネル（ＤＣＨ）４６のための識別子を含む。
【００４３】
本発明によれば、在圏ＲＮＣ（ＳＲＮＣ）は再割当手続１１０を提供されるが、再割当手続１１０は、第１のＲＮＣから第２のＲＮＣへと在圏ＲＮＣ（ＳＲＮＣ）の機能の再割当を実行するためのものである。以下では特に図５Ａと図５Ｂに関して説明するが、再割当手続１１０は、第１のＲＮＣからＳＲＮＣ再割当処理に関与している第２のＲＮＣへのリンキング情報の送信を容易にするものである。
【００４４】
図５Ａに、ユーザ装置ユニット（ＵＥ）３０のためのＳＲＮＣの再割当（ユーザ装置ユニット（ＵＥ）非関与の再割当）を実行する直前の状態が示されており、ユーザ装置ユニット（ＵＥ）は基地局（ＢＳ）２８2-2によってサービスを提供されているセルに位置することが示されており、コネクションは破線３６5Aによって示されている。無線ネットワーク制御装置（ＲＮＣ）２６1は、ユーザ装置ユニット（ＵＥ）３０を受け持つサービスにとって、ＳＲＮＣ再割当が望ましいか、あるいは必要であるかを決定し、これは、予想される結果に基づいて、その無線ネットワーク制御装置（ＲＮＣ）２６2（以前はＤＲＮＣとしてユーザ装置ユニット（ＵＥ）にサービスを提供していた）が、無線ネットワーク制御装置（ＲＮＣ）２６1に取って代わって新規の在圏ＲＮＣ（ＳＲＮＣ）となる。従って、無線ネットワーク制御装置（ＲＮＣ）２６1の再割当手続１１０は、再割当必要メッセージ（ＲＥＬＯＣＡＴＩＯＮ ＲＥＱＵＩＲＥＤ ＭＥＳＳＡＧＥ）を準備し、コア・ネットワーク１６内の適切なノードへと送信する。例えば、再割当必要メッセージは、回線交換制御ノード（図１のＭＳＣノード１８のようなノード）と、パケット交換制御ノード（図１のＳＧＳＮノードのようなノード）の双方に送信することも可能である。再割当必要メッセージは、以下で図７に関連して説明する。コア・ネットワーク・ノードは、無線ネットワーク制御装置（ＲＮＣ）２６2に対して再割当要請メッセージ（ＲＥＬＯＣＡＴＩＯＮ ＲＥＱＵＥＳＴ ＭＥＳＳＡＧＥ）を送信する。再割当必要メッセージ及び再割当要請メッセージはともに、無線ネットワーク制御装置（ＲＮＣ）２６1から無線ネットワーク制御装置（ＲＮＣ）２６2へと、ＲＡＢ ＩＤとＲＢ ＩＤとを伴うＤＣＨ ＩＤのリンキングのための情報を送信するために利用され、ＲＡＢ ＩＤとＲＢ ＩＤはユーザ装置ユニット（ＵＥ）３０へのサービス・コネクションのためのものであり、これらは、図５Ａの二点鎖線によって示されている。
【００４５】
再割当必要メッセージは、Ｉｕインターフェイスのための適切なプロトコルを使用し、Ｉｕインターフェイスを介して送信される。本発明に関連する、再割当必要メッセージの情報要素の例が図７に示されている。図７において、このような情報要素としてメッセージ種別情報要素７−１、発信元ノードＩＤ情報要素７−２、ターゲットＲＮＣノードＩＤ情報要素７−３、ＲＡＢ ＩＤ情報要素７−４、ＲＢ ＩＤ情報要素７−５およびＤＣＨ ＩＤ情報要素７−６が例示されている。メッセージ種別についての情報要素７−１は、メッセージを再割当必要メッセージであると識別するためのものである。発信元ノードＩＤ情報要素７−２は、どの無線ネットワーク制御装置（ＲＮＣ）２６1であるかを識別するもので、これは本発明にとって必須ではないオプション的な情報要素であるが、統計情報などを収集すためには役立つかもしれない。目標ＲＮＣノードＩＤについての情報要素７−３は、ＲＮＣ再割当手続を実行した結果、ＳＲＮＣとして再割当られる無線ネットワーク制御装置２６2を識別するためのものである。ユーザ装置ユニット（ＵＥ）３０のためのサービス・コネクションに関していえば、情報要素７−４乃至情報要素７−６に含まれる値は、それぞれリンキング・データベース１００の情報要素１０２乃至情報要素１０４に対応している。
【００４６】
再割当要求メッセージが、コア・ネットワーク・ノードから、例えば、在圏ＲＮＣ（ＳＲＮＣ）となるべき無線ネットワーク制御装置（ＲＮＣ）２６2に送信される。再割当要求メッセージのフォーマットは特にここでは示さないが、基本的には、目標ＲＮＣＩＤについの情報要素７−３が含まれている必要はない図７の再割当必要メッセージのフォーマットとは異なっている。
【００４７】
再割当手続が完了すると、受信した割当要求メッセージを考慮して、無線ネットワーク制御装置（ＲＮＣ）２６2は、図４Ｂに示された手法でもって、識別情報のリンキング処理を実行できるようになる。図５Ｂも図４Ｂも、在圏ＲＮＣ（ＳＲＮＣ）機能が無線ネットワーク制御装置（ＲＮＣ）２６1無線ネットワーク制御装置（ＲＮＣ）２６2へと移動したことを示しており、また、図５Ｂの破線３６5Bによって示されたコネクションも移動したことを示している。無線ネットワーク制御装置（ＲＮＣ）２６2は在圏ＲＮＣ（ＳＲＮＣ）になると、再割当の前と同一の専用トランスポート・チャネル（ＤＣＨ）４６とサービス用の無線ベアラ（ＲＢ）識別子（ＲＢ ＩＤ）４４とをリンキングするための情報を伴う再割当必要メッセージと、再割当要求メッセージとを供給される。このようにして、各々の無線アクセス・ベアラ（ＲＡＢ）は１以上のＤＣＨと対応付けられ、また、各々の無線アクセス・ベアラ（ＲＡＢ）も同様に一以上の無線ベアラ（ＲＢ）と対応付けられ、そして各々のＤＣＨも１以上の無線ベアラ（ＲＢ）と対応付けられる。 図４Ｂでは線５９によって、無線ベアラ（ＲＢ）識別子（ＲＢ ＩＤ）４４と専用トランスポート・チャネル（ＤＣＨ）ＩＤ４６とのリンキングが示されている。
【００４８】
このように再割当手続１００を用いることにより、本発明では、ターゲット（目標）在圏ＲＮＣ（ＳＲＮＣ）（例えば、図 ５Ｂ の無線ネットワーク制御装置（ＲＮＣ）２６2）が、以前にユーザ装置ユニット（ＵＥ）３０のために利用されていたのと同一のＤＣＨへのリンキングを再形成することが可能になる。同一のＤＣＨ／ＲＢのリンキングは多くの理由から有効である。１つの理由としては、サービスに関連するユーザ装置ユニット（ＵＥ）３０ために利用されるべきＤＣＨをどれかに決定する際に必要となる時間とリソースとが無駄にならないことである。
【００４９】
図６は、本発明のリンキング・データベース１００と再割当手続１１０とを実装可能な例示的ＲＮＣノード２６についての詳細を示している。図６のＲＮＣノード２６は交換機１２０を有する交換機ベースのノードである。交換機１２０は、ＲＮＣノード２６の他の構成要素を相互接続するために機能する。このような他の構成要素としては、拡張ターミナル１２２1乃至１２２nと、拡張ターミナル１２４とがある。拡張ターミナル１２２1乃至１２２nは、ＲＮＣノード２６によってサービスが提供される基地局２８へと当該ＲＮＣノード２６を接続するために機能し、拡張ターミナル１２４は、Ｉｕインタフェースを介してコア・ネットワークにＲＮＣノード２６を接続する。
【００５０】
ＲＮＣノード２６のさらに他の構成要素としては、ダイバーシチ・ハンドオーバ・ユニット１２６と、ＡＬＴ ユニット１２８と、符号化ユニット１３０と、タイミング・ユニット１３２と、データ・サービス・アプリケーション・ユニット１３４と、メイン・プロセッサー１４０とがある。当業者であれば、これらの構成要素の一般的な機能を理解できるであろうが、ＡＬＴユニット１２８は、多重化処理および分離化処理（またオプションとして）セルの異種プロトコルに関するキューイング処理を提供するものであることに注意しなければならない。
【００５１】
図６に示されるＲＮＣノード２６の実施形態において、メイン・プロセッサー１４０が再割当手続１１０を実行する。さらに、メイン・プロセッサー１４０は、リンキング・データベースに接続され、そこから再割当手続１１０によって利用されるリンキング情報を取得し、図５Ａと図７に関して説明した再割当必要メッセージを準備する。
【００５２】
ＲＮＣノード２６は、例えばＡＴＭ セルのようなパケット又はセルを送信又は受信するように構成できる。しかしながら、ＲＮＣノード２６についての特定の構成は、ＲＮＣノード２６がここで説明した再割当手続１１０あるいはその変形方法を実行することができれるかぎりどのようなものでもよく、従って、本発明にとって特別に重要な事項というわけではない。
【００５３】
上述したように、無線インタフェース（例えば、エア・インタフェース）上において、専用トランスポート・チャネル（ＤＣＨ）は、下り回線（すなわち、ＳＲＮＣからユーザ装置ユニット（ＵＥ）への回線）上の２つのトランスポート・チャネル（ＴｒＣＨ）ＩＤと、上り回線（すなわち、ユーザ装置ユニット（ＵＥ）からＳＮＲＣへの回線）上の１つのトランスポート・チャネル（ＴｒＣＨ）ＩＤによって識別される。図４Ａに関して既に説明したように、在圏ＲＮＣ（ＳＲＮＣ）がユーザ装置ユニット（ＵＥ）と無線ベアラを確立するとき、在圏ＲＮＣ（ＳＲＮＣ）が同様に無線ベアラ（ＲＢ）識別子（ＲＢ ＩＤ）４４をユーザ装置ユニット（ＵＥ）に伝達する。
【００５４】
第３世代共同プロジェクト（３ＧＰＰ）はまた、再割当に関して、第１のＲＮＣ（例えば、旧ＳＲＮＣ）から第２のＲＮＣ（例えば、新ＳＲＮＣ）へと、各無線アクセス・ベアラ（ＲＡＢ）ＩＤと、対応する（一以上の）無線ベアラ（ＲＢ）ＩＤと、対応する上り回線及び下り回線ＴｒＣＨ ＩＤとをシグナリングすることを提案している。しかしながら、３ＧＰＰのこの提案によれば、引き続きどの専用トランスポート・チャネル（ＤＣＨ）がどの上り回線および下り回線のＴｒＣＨ ＩＤのセットと対応しているかを、例えば、無線ベアラの特徴などを基礎として、新しい ＳＲＮＣが推測しなければならない。従って、以下の特別な条件を除き、このような新しいＳＲＮＣにおいて、ＤＣＨへのリンキングを再形成することは、３ＧＰＰの提案では不可能である。
【００５５】
３ＧＰＰ提案とは対照的に、図９Ａ、図９Ｂ、図８Ａおよび図８Ｂには、本発明の第２の方式が示されており、これには、再割当手続が在圏ＲＮＣ（ＳＲＮＣ）で実行されている間におけるＴｒＣＨ ＩＤと無線アクセス・ベアラ（ＲＡＢ）識別子とのリンキング処理が含まれている。図８Ａと図９Ａは、第１の方式とは異なる本発明の第２の方式が示されており、この第２の方式は、ユーザ装置ユニット（ＵＥ）３０についてのサービスに関与しているＴｒＣＨを考慮に入れたものである。この点に関して、無線ネットワーク制御装置（ＲＮＣ）２６1から無線ネットワーク制御装置（ＲＮＣ）２６2へとＲＮＣ再割当手続のためのシグナリングによって、ＴｒＣＨ ＩＤとＤＣＨ ＩＤ、ＲＡＢ ＩＤ及びＲＢ ＩＤとのリンキングを提供できるよう、第２の方式に係る再割当手続１１０'および第２の方式に係るリンキング・データベース１００'が構成されている。このリンキングは図８Ａに二点鎖線によって示されている。
【００５６】
本発明の第２の方式において、ＴｒＣＨｓを考慮に入れている点で、図９Ａは図４Ａと異なっている。特に、図９Ａの方式においては、ＴｒＣＨ ＩＤ４８と、無線ベアラ（ＲＢ）識別子（ＲＢ ＩＤ）４４とのリンキングを線６０が示している。さらに、図９Ａの線６２によって、在圏ＲＮＣ（ＳＲＮＣ）がさらにユーザ装置ユニット（ＵＥ）に対して各ＤＣＨ を識別するための上り回線と下り回線のＴｒＣＨ ＩＤを伝送していることが示されている。
【００５７】
図９Ａのリンキングを反映して、リンキング・データベース１００'には、追加のフィールド１０５が提供される。フィールド１０５は、下り回線上の２つトランスポート・チャネル（ＴｒＣＨ）ＩＤと、上り回線上のトランスポート・チャネル（ＴｒＣＨ）ＩＤ とを、ユーザ装置ユニット（ＵＥ）へのサービスのために記憶する。リンキング・データベース１００'に含まれているＴｒＣＨ ＩＤを用いて、（無線ネットワーク制御装置（ＲＮＣ）２６1で実行される）再割当手続１１０は、図１０の再割当必要メッセージを用意してコア・ネットワークに送信し、同様に、無線ネットワーク制御装置（ＲＮＣ）２６2へと再割当要求メッセージを送信する。
【００５８】
図１０の再割当必要メッセージは本質的に図７のフォーマットと同一であるが、さらなる情報要素１０−８が追加されており、これには、在圏ＲＮＣ（ＳＲＮＣ）の再割当の実行前にユーザ装置ユニット（ＵＥ）３０に利用されるＴｒＣＨ ＩＤが含まれており、これによって、無線ネットワーク制御装置（ＲＮＣ）２６2は、在圏ＲＮＣ（ＳＲＮＣ）の再割当の実行後においてもこれらと同一のＴｒＣＨ ＩＤを使用することが可能となる。図７のフォーマットと図１０のフォーマットに関して言えば、これらのメッセージに含まれる情報要素の順番は重要ではなく、フォーマットにおいて数多くの変形を実現することができる。
【００５９】
図８Ｂと図９Ｂは第２のモードのＳＲＮＣ再割当手続が実行された後のシチュエーションを示したものである。図８Ｂの破線３６8Bは、ＳＲＮＣ再割当手続が実行された後のユーザ装置ユニット（ＵＥ）３０のためのコネクションを示している。この第２の方式において、ある無線アクセス・ベアラ（ＲＡＢ）識別子（ＲＡＢ ＩＤ）４２をサポートしている専用トランスポート・チャネル（ＤＣＨ）の全ＤＣＨ ＩＤについて上り回線と下り回線のＴｒＣＨ ＩＤのリンキングが、Ｉｕｒインタフェース上でＤＣＨを確立する際に、新規のＳＲＮＣ又は目標ＳＲＮＣ対して提供される。
【００６０】
図１１は、本発明の第３の方式を示しており、図８Ａ及び図８Ｂに示された第２の方式の変形である。本質的に、図１１に示す再割当手続１１０11は、図８Ａの再割当手続１１０'のように、図１２の再割当必要メッセージをコア・ネットワークの適切なノードへと送信する。 しかしながら、再割当手続１１０'によって発行された再割当必要メッセージと異なり、第３のモードに係る再割当手続１１０11は、図１２の再割当必要メッセージに専用トラヒックチャネル（ＤＣＨ）ＩＤを含んではいない。図１２の再割当必要メッセージにおいて専用トラヒックチャネル（ＤＣＨ）ＩＤを省略することは次の点で有効であり、すなわち、（図１１において他の二点鎖線にて示された）再割当手続１１０11に先立ってＩｕｒインタフェースを介して送信することにより、無線ネットワーク制御装置（ＲＮＣ）２６1と無線ネットワーク制御装置（ＲＮＣ）２６2との間でＴｒＣＨ ＩＤとＤＣＨ ＩＤとのリンキングを実行できる。図１１の第３の実施形態に係る再割当手続１１０11の完了すると、図８Ｂと図９Ｂと同様の結果が得られる。
【００６１】
本発明の第３の方式において、Ｉｕｒインタフェース上のある種のメッセージが、好ましくは、ＤＣＨ ＩＤとそれに対応する上り回線及び下り回線のＴｒＣＨ ＩＤとの対応関係を含む。これらのメッセージは無線回線設定要請メッセージ（ＲＡＤＩＯ ＬＩＮＫ ＳＥＴＵＰ ＲＥＱＵＥＳＴ ＭＥＳＳＡＧＥ）、無線回線再構成準備メッセージ（ＲＡＤＩＯ  ＬＩＮＫ  ＲＥＣＯＮＦＩＧＵＲＡＴＩＯＮ  ＰＲＥＰＡＲＥ  ＭＥＳＳＡＧＥ）、および、無線回線再構成要請メッセージ（ＲＡＤＩＯ ＬＩＮＫ ＲＥＣＯＮＦＩＧＵＲＡＴＩＯＮ ＲＥＱＵＥＳＴ ＭＥＳＳＡＧＥ）である。
【００６２】
図１３は、図１１に示した第３の方式の変形例である本発明の第４の方式を示している。第４の方式に係る再割当手続１１０12では、専用トランスポート・チャネル（ＤＣＨ）ＩＤが、ＳＲＮＣ再割当に関して全く送信又はシグナリングされない。その代わりに、第４の方式では、専用トランスポート・チャネル（ＤＣＨ）が、Ｉｕｒインタフェース上または無線インタフェース上、オプションとしてＩｕｂインタフェース上において、上り回線及び下り回線 のＴｒＣＨ ＩＤによって識別される。
第４のモードにおいて、目標ＲＮＣ（例えば、新規のＳＲＮＣ）は、専用トランスポート・チャネル（ＤＣＨ）の再割当手続１１０12を識別するための上り回線及び下り回線のＴｒＣＨ ＩＤをすでに把握している。この点に関して、第４のモードにおいては、上り回線と下り回線のＴｒＣＨ ＩＤは目標ＲＮＣに対してＩｕｒインタフェースを介し通信伝達される。従って、この第４のモードでは、再割当必要メッセージあるいは再割当要求メッセージにおいて専用トランスポート・チャネル（ＤＣＨ）ＩＤを伝送する必要がないし、あるいは、無線ネットワーク制御装置（ＲＮＣ）２６1と無線ネットワーク制御装置（ＲＮＣ）２６2間のＩｕｒインタフェースを経由して専用トランスポート・チャネル（ＤＣＨ）ＩＤを伝送する必要もない。
【００６３】
リンキングは次の方法によって形成される。
【００６４】
（Ａ）再割当に先立って、Ｉｕｒインタフェース上において、複数のＲＮＣがＤＣＨ  ＩＤを交換する。第４の方式においては、上り回線と下り回線のＴｒＣＨ ＩＤが複数のＲＮＣによって交換される。それゆえ、第１の方式乃至第３の方式におけるＤＣＨ  ＩＤは、上り回線と下り回線のＴｒＣＨ ＩＤによって置き換えられる。
【００６５】
（Ｂ）再割当の際に、Ｉｕインタフェース上において、ＲＡＢ ＩＤとそれに対応する上り回線と下り回線のＴｒＣＨ ＩＤとの間のリンキングが目標ＲＮＣに供給される。
【００６６】
（Ｃ）ゆえに、目標ＲＮＣは、第１にＩｕｒを介して、第２にＩｕを介して提供されたＴｒＣＨ ＩＤを使用することにより、再割当の際に、ＲＡＢをＤＣＨにリンクさせることができる。
【００６７】
図１３の第４の実施形態に係る再割当手続１１０13が完了すると、図８Ｂおよび図９Ｂに示された結果と同様の結果となる。
【００６８】
このように、本発明の第４の方式によれば、再割当手続１１０13は、再割当必要メッセージ及び再割当要求メッセージにおいてＤＣＨ ＩＤを必要としない。また、本発明の第４の方式によれば、Ｉｕｒインタフェース上およびオプションとしてＩｕｂインタフェース上のメッセージが、好ましくは、専用トランスポート・チャネル（ＤＣＨ）の識別子としての上り回線のＴｒＣＨ ＩＤ及び下り回線のＴｒＣＨ ＩＤを搭載する。これはＤＣＨ ＩＤを使用するものではない。本発明の第４の方式によれば、専用トランスポート・チャネルは、このようにＩｕｒ上、無線インタフェース上およびオプションとしてのＩｕｂインタフェース上で、上り回線及び下り回線のＴｒＣＨ ＩＤによって識別されよう。これらのメッセージは、無線回線設定要請メッセージ（ＲＡＤＩＯ ＬＩＮＫ ＳＥＴＵＰ ＲＥＱＵＥＳＴ ＭＥＳＳＡＧＥ）、無線回線設定応答メッセージ（ＲＡＤＩＯ ＬＩＮＫ ＳＥＴＵＰ ＲＥＳＰＯＮＳＥ ＭＥＳＳＡＧＥ）、無線回線設定失敗メッセージ（ＲＡＤＩＯ ＬＩＮＫ ＳＥＴＵＰ ＦＡＩＬＵＲＥ ＭＥＳＳＡＧＥ）、無線回線追加応答メッセージ（ＲＡＤＩＯ ＬＩＮＫ ＡＤＤＩＴＩＯＮ ＲＥＳＰＯＮＳＥ ＭＥＳＳＡＧＥ）、無線回線追加失敗メッセージ（ＲＡＤＩＯ ＬＩＮＫ ＡＤＤＩＴＩＯＮ ＦＡＩＬＵＲＥ ＭＥＳＳＡＧＥ）、無線回線再構成準備メッセージ（ＲＡＤＩＯ ＬＩＮＫ ＲＥＣＯＮＦＩＧＵＲＡＴＩＯＮ ＰＲＥＰＡＲＥ ＭＥＳＳＡＧＥ）、無線回線再構成準備完了メッセージ（ＲＡＤＩＯ ＬＩＮＫ ＲＥＣＯＮＦＩＧＵＲＡＴＩＯＮ ＲＥＡＤＹ ＭＥＳＳＡＧＥ）、無線回線再構成要請メッセージ（ＲＡＤＩＯ ＬＩＮＫ ＲＥＣＯＮＦＩＧＵＲＡＴＩＯＮ ＲＥＱＵＥＳＴ ＭＥＳＳＡＧＥ）、無線回線再構成応答メッセージ（ＲＡＤＩＯ ＬＩＮＫ ＲＥＣＯＮＦＩＧＵＲＡＴＩＯＮ ＲＥＳＰＯＮＳＥ ＭＥＳＳＡＧＥ）などである。
【００６９】
本発明は、コア・ネットワークのアーキテクチャーに依存するものではない。さらに、本発明は、ユーザ装置ユニット（ＵＥ）が関与しないＳＲＮＣ再割当について特に適応可能なものである、本発明は、ユーザ装置ユニット（ＵＥ）の関与を伴うＳＲＮＣ配置に関しても同様に有効である。この点に関して、在圏ＲＮＣ（ＳＲＮＣ）の役割を現在ＤＲＮＣとして動作しているＲＮＣへと移動させることによって通信を最適化するため、再割当処理を実行することも可能である。このケースでもまた、ユーザ装置ユニット（ＵＥ）の関与を伴う再割当処理を実行することができ、よってＤＣＨの可能な範囲での変更処理も含まれる。しかしながら、この様なケースにおいては、無線アクセス・ベアラ（ＲＡＢ）識別子（ＲＡＢ ＩＤ）を古いＤＣＨとリンクさせることは必須というわけではない。
【００７０】
現時点で最も現実的で最も好ましいと思われる実施形態および方式に関して、本発明を説明してきた。本発明は、上述の方式および実施形態にのみ限定されるわけではなく、添付の請求項の技術思想および技術的範囲に含まれうる均等の構成および種々の変形構成をも含むことが意図されていることは理解されなければならない。
【図面の簡単な説明】
本発明の上述及び他の目的、特徴及び有利な効果は、好ましい実施形態についてより詳細な説明により明らかとなるであろう。好ましい実施形態は添付の図面により例示され、様々な観点を通して同一の引用符号が用いられている。図面は、本発明の原理を例示しただけのものであり、強調やスケールは不要である。
【図１】  本発明を有効に適用可能な例示的移動通信システムを示す図である。
【図１Ａ】  ユーザ装置ユニット（ＵＥ）のコネクションを設定する際に行われる図１のシステムにおける例示的なＲＮＣの役割の割り当てを示す図である。
【図１Ｂ】  ユーザ装置ユニット（ＵＥ）のコネクションのハンドオーバが成功した後に行われる図１のシステムにおける例示的なＲＮＣの役割の割り当てを示す図である。
【図２Ａ】  ユーザ装置ユニット（ＵＥ）の関与をともなう再配置の前に行われる図１のシステムにおける例示的なＲＮＣの役割の割り当てを示す図である。
【図２Ｂ】  ユーザ装置ユニット（ＵＥ）の関与をともなう再配置の後に行われる図１のシステムにおける例示的なＲＮＣの役割の割り当てを示す図である。
【図３Ａ】  ユーザ装置ユニット（ＵＥ）の関与をともなわない再配置の前に行われる図１のシステムにおける例示的なＲＮＣの役割の割り当てを示す図である。
【図３Ｂ】  ユーザ装置ユニット（ＵＥ）の関与をともなわない再配置の前に行われる図１のシステムにおける例示的なＲＮＣの役割の割り当てを示す図である。
【図４Ａ】  本発明のＳＲＮＣ再割当手続を実行する前の、通信コネクションにおいて利用される種々の識別子間の関係を示した図である。
【図４Ｂ】  本発明のＳＲＮＣ再割当手続を実行した後の、通信コネクションにおいて利用される種々の識別子間の関係を示した図である。
【図５Ａ】、
【図５Ｂ】本発明の第１の方式に従った、ユーザ装置ユニット（ＵＥ）の関与を伴わない例示的なＳＲＮＣ再割当手続を示した図である。
【図６】  本発明の実施形態における例示的なＲＮＣノードを示した図である。
【図７】  本発明の第１の方式における、再割当要求メッセージ（ＲＥＬＯＣＡＴＩＯＮ  ＲＥＱＵＩＲＥＤ  ＭＥＳＳＡＧＥ）の例示的なフォーマットを示した図である。
【図８Ａ】、
【図８Ｂ】  本発明の第２の方式に従った、ユーザ装置ユニット（ＵＥ）の関与を伴わない例示的なＳＲＮＣ再割当手続を示した図である。
【図９Ａ】  本発明の第２の方式に従ってＳＲＮＣ再割当手続を実行する前の、通信コネクションにおいて利用される種々の識別子間の関係を示した図である。
【図９Ｂ】  本発明の第２の方式に従ってＳＲＮＣ再割当手続を実行した後の、通信コネクションにおいて利用される種々の識別子間の関係を示した図である。
【図１０】  本発明の第２の方式における、再割当要求メッセージ（ＲＥＬＯＣＡＴＩＯＮ  ＲＥＱＵＩＲＥＤ  ＭＥＳＳＡＧＥ）の例示的なフォーマットを示した図である。
【図１１】  本発明の第３の方式に従った、ユーザ装置ユニット（ＵＥ）の関与を伴わない例示的なＳＲＮＣ再割当手続を示した図である。
【図１２】  本発明の第３の方式における、再割当要求メッセージ（ＲＥＬＯＣＡＴＩＯＮ  ＲＥＱＵＩＲＥＤ  ＭＥＳＳＡＧＥ）の例示的なフォーマットを示した図である。
【図１３】  本発明の第４の方式に従った、ユーザ装置ユニット（ＵＥ）の関与を伴わない例示的なＳＲＮＣ再割当手続を示した図である。
【図１】
0004554868.tif 000002
【図１Ａ】
0004554868.tif 000003
【図１Ｂ】
0004554868.tif 000004
【図２Ａ】
0004554868.tif 000005
【図２Ｂ】
0004554868.tif 000006
【図３Ａ】
0004554868.tif 000007
【図３Ｂ】
0004554868.tif 000008
【図４Ａ】
0004554868.tif 000009
【図４Ｂ】
0004554868.tif 000010
【図５Ａ】
0004554868.tif 000011
【図５Ｂ】
0004554868.tif 000012
【図６】
0004554868.tif 000013
【図７】
0004554868.tif 000014
【図８Ａ】
0004554868.tif 000015
【図８Ｂ】
0004554868.tif 000016
【図９Ａ】
0004554868.tif 000017
【図９Ｂ】
0004554868.tif 000018
【図１０】
0004554868.tif 000019
【図１１】
0004554868.tif 000020
【図１２】
0004554868.tif 000021
【図１３】
0004554868.tif 000022